(57)【要約】【課題】カードを薄型小型形状のままにし、カードに保持された情報だけでなく、カードに保持されておらずカードの外部から得られる外部情報も、容易に確認或いは利用できる。【解決手段】任意の情報を内部情報として保持するカードを収納する携帯用のカードケース（２）であって、  外部情報を取得するための検知部（１３）と、  前記カードと前記カードケースの間で情報を送受信する通信部（１１）と、  前記内部情報と外部情報を表示する表示部（４）と、  前記内部情報と外部情報を前記表示部（４）に表示させる駆動部（１２）と、  前記駆動部を制御する制御部（１４）と、  各部に電力を供給する電源部（１５）と、  を有することを特徴としたカードケース。【選択図】図２
2016130946.tif 000002
【特許請求の範囲】
【請求項１】
任意の情報を内部情報として保持するカードを収納する携帯用のカードケースであって、
外部情報を取得するための検知部と、
前記カードと前記カードケースの間で情報を送受信する通信部と、
前記内部情報と外部情報を表示する表示部と、
前記内部情報と外部情報を前記表示部に表示させる駆動部と、
前記駆動部を制御する制御部と、
各部に電力を供給する電源部と、
を有することを特徴としたカードケース。
【請求項２】
前記カードケースは、前記表示部の表示内容の切り替え及びＯＮ／ＯＦＦの操作をする入力部を有することを特徴とする請求項１記載のカードケース。
【請求項３】
前記検知部は、加速度センサを使用し、
外部情報として、利用者の体の動きを検知することを特徴とする請求項１又は２記載のカードケース。
【請求項４】
前記制御部は、前記通信部と前記検知部で取得した情報をもとに、利用者の活動量情報を演算することを特徴とした請求項１〜３いずれかに記載のカードケース。
【請求項５】
前記表示部は、前記通信部で受信した情報と、
前記制御部で演算した活動量情報と、
を文字或いは画像のいずれか又は双方で表示することを特徴とした請求項１〜４いずれかに記載のカードケース。
【請求項６】
請求項１〜５いずれかに記載のカードケースを使用して、カード利用者の管理を行うことを特徴とする管理システム。
【請求項７】
前記管理が健康管理であることを特徴とする請求項６に記載の管理システム。
【発明の詳細な説明】
【技術分野】
【０００１】
本発明はカードケース及び管理システムに関する。
【背景技術】
【０００２】
ＩＣカードや磁気ストライプカードはカード内に任意の情報を保持する機能を有しており、リーダやライタによって読み込みや書き込みが可能である。特にＩＣカードは磁気ストライプカード等に比べて大量のデータを記憶できるメモリを搭載しているので、１枚のカードで多くの情報を格納することができる。また、マイクロコンピュータによりデータ管理をおこなうのでセキュリティ性が高いという特徴を有する。このため社員証、定期券、キャッシュカード、クレジットカード等様々な分野で利用されており、また、ＩＣと磁気ストライプを両方備えたハイブリッド型のカードも広く普及している。
【０００３】
さらに、近年ではＩＣカード内情報を確認できる手段として、ＩＣカード本体に情報表示機能を備えたものが開発されている。例えば、特許文献１には、ＩＣカード本体に圧電素子と整流回路を有する発電部を備え、ＩＣカードにかかる圧力や振動によって発生した電力を蓄電し、スイッチボタンが操作されるとＩＣチップやディスプレイ部に電力が供給されて所定の情報データがディスプレイに表示される表示機能付きＩＣカードが提案されている。
【先行技術文献】
【特許文献】
【０００４】
【特許文献１】特開２０１２−１８５９４号公報
【発明の概要】
【発明が解決しようとする課題】
【０００５】
しかしながら、特許文献１では、ＩＣカードに保持された情報を確認するために表示機能を動作させるためには、ディスプレイ本体及び表示駆動用の電力供給手段をＩＣカードに内蔵する必要があるため、高精細なディスプレイを搭載したり、ディスプレイやドライバ、ＩＣチップに電力を供給するために必要な高容量の電池を確保したりする必要があり、従来のような薄型小型形状のカード形式で実現することが難しかった。
【０００６】
また、ＩＣカードに保持された情報を確認する別の手段として、ＩＣカードをカードリーダ端末にかざしてカードリーダに接続されているディスプレイ画面で確認する方法がある。しかし、特定のＩＣカードリーダ端末にかざさないと所望のデータを確認することができないため、ＩＣカードリーダ端末がない状況では確認できず、ＩＣカード携帯時に常に情報を確認することができない、といった問題があった。
【０００７】
本発明は、上述した事情に鑑みなされたもので、カードを薄型小型形状のままにし、カードに保持された情報だけでなく、カードに保持されておらずカードの外部から得られる外部情報も、容易に確認或いは利用できるカードケース及び管理システムを提供することを課題とする。
【課題を解決するための手段】
【０００８】
本発明において上記課題を解決するために、まず請求項１の発明では、
任意の情報を内部情報として保持するカードを収納する携帯用のカードケースであって、
外部情報を取得するための検知部と、
前記カードと前記カードケースの間で情報を送受信する通信部と、
前記内部情報と外部情報を表示する表示部と、
前記内部情報と外部情報を前記表示部に表示させる駆動部と、
前記駆動部を制御する制御部と、
各部に電力を供給する電源部と、
を有することを特徴としたカードケースとしたものである。
【０００９】
また請求項２の発明では、
前記カードケースは、前記表示部の表示内容の切り替え及びＯＮ／ＯＦＦの操作をする入力部を有することを特徴とする請求項１記載のカードケースとしたものである。
【００１０】
また請求項３の発明では、
前記検知部は、加速度センサを使用し、
外部情報として、利用者の体の動きを検知することを特徴とする請求項１又は２記載のカードケースとしたものである。
【００１１】
また請求項４の発明では、
前記制御部は、前記通信部と前記検知部で取得した情報をもとに、利用者の活動量情報を演算することを特徴とした請求項１〜３いずれかに記載のカードケースとしたものである。
【００１２】
また請求項５の発明では、
前記表示部は、前記通信部で受信した情報と、
前記制御部で演算した活動量情報と、
を文字或いは画像のいずれか又は双方で表示することを特徴とした請求項１〜４いずれかに記載のカードケースとしたものである。
【００１３】
また請求項６の発明では、
請求項１〜５いずれかに記載のカードケースを使用して、カード利用者の管理を行うことを特徴とする管理システムとしたものである。
【００１４】
また請求項７の発明では、
前記管理が健康管理であることを特徴とする請求項６に記載の管理システムとしたものである。
【発明の効果】
【００１５】
本発明により、通信機能と情報記録機能を備えた従来のカードの利用において、カードに保持された任意の情報を表示することができる。また、カードに保持された情報のみならず、外部情報を取得し、内部情報と外部情報を組み合わせた情報についても表示することができる。これにより、カード利用者を管理する管理システムを提供することができる。
【００１６】
近年、現金以外の決済方法としてＩＣカードを利用した決済が広く普及している。予め利用者がＩＣカードに入金して決済を行ったり、ＩＣカードのカード記憶部に記憶された利用者固有の番号を読み取ってオンラインで決済を行ったりする方法がある。このような決済を行う際に、例えば、ＩＣカードのカード記憶部に購入したり飲食した摂取食事情報（摂取カロリー量や栄養素情報などの栄養情報）を記憶し、ＩＣカードをカードケースに収納した際に上記の情報や算出した消費カロリー量等の活動量情報も確認することができるので、カードリーダ端末を使用することなく、利用者は健康を維持するために必要な所定の情報を常に確認することができる。
【００１７】
また、近年では、企業が社員に対して生活習慣病などに対して「予防する」という取り組みが活発に行われており、いかに企業が社員ひとりひとりの健康を管理するのかという課題がある。例えば、スマートフォンなどの携帯端末を利用して食事情報や消費カロリー量を記録したり算出する方法が挙げられるが、社員が携帯端末を持っていない場合や、社員がそれぞれ異なる携帯端末を使用し、搭載しているシステムが異なる場合などがあり、企業が社員ひとりひとりの健康状態を確認することが難しかった。本発明は、消費カロリー量等の活動量情報や企業の個人ＩＤが付与された社員証を利用し、ＩＣ決済時にはカード記憶部に摂取食事情報が記憶され、さらに常に消費カロリー量等の活動量情報が、カードケースの制御部で演算されるので、企業側は社員ひとりひとりの健康状態を確認することが可能になり、社員は常に情報を確認することができるので、社員個人も企業としても個人ベースで健康を維持管理するための情報を常に確認することが可能になる。
【００１８】
以上、本発明は、カードを薄型小型形状のままにし、カードに保持された情報だけでなく、カードに保持されておらずカードの外部から得られる外部情報も、容易に確認或いは利用できるという効果がある。
【図面の簡単な説明】
【００１９】
【図１】本発明に係わる携帯用カードケースの外観図であって、（ａ）は正面図、（ｂ）は側面図。
【図２】本発明に係わるカードケースの内部構成を示す概略図。
【図３】本発明に係わるカードケースに収納するカードの内部構成を示す概略図。
【図４】本発明に係わるカードケースを用いたシステムの構成を示す概略図。
【図５】本発明に係わるカードケースのディスプレイ表示例を示す図であって、（ａ）は社員情報の表示例、（ｂ）は摂取食事情報の表示例。
【図６】本発明に係わるカードケースのディスプレイ表示例を示す図であって、（ｃ）は活動量情報の表示例、（ｄ）は活動量情報の他の表示例。
【発明を実施するための形態】
【００２０】
以下、本発明の実施形態を図面により説明する。
【００２１】
まず、本発明に係る携帯用カードケースを、図１および図２を使用して説明する。図１は本発明に係る携帯用カードケースの外観図であり（ａ）正面図と（ｂ）側面図である。図２は本発明に係るカードケースの内部構成を示す図である。
【００２２】
図１（ａ）と図１（ｂ）に示すように、本発明に係る携帯用カードケース１は、カードが収納されるカードケース２とカードケース２を携帯するために任意で取り付けるストラップ６とクリップ７を有している。カードケース２はカードを挿入するためのカード挿入部３を備えており、さらに、カードの情報を表示する表示部４、表示部４のＯＮ／ＯＦＦ制御や表示内容を切替えるために操作する入力部５を有している。入力部５はボタン入力の場合を示しているが、表示部４に備えられたタッチパネル入力でもよい。また、図１では表示部４がカードケース２の表面に露出された例を示している。
【００２３】
図２は本発明に係るカードケースの内部構成を示す概略図である。カードケース２に収納するカードは非接触ＩＣカードの場合を示している。カードケース２には非接触ＩＣカード内部のカード記憶部に記憶されている情報等を表示する表示部４、外部と情報のやり取りを行う非接触ＩＣチップ８と外部と通信するためのアンテナ９と電力送信部１０から構成される通信部１１を有する。また、情報データを表示部に表示する駆動部１２、外部情報を検知する検知部１３、駆動部１２を駆動させて表示部４に情報を表示する制御部１４、制御部や制御部を介して各部に電力を供給する電源部１５を少なくとも有している。
【００２４】
なお、カードに保持されている情報を内部情報とも云い、非接触ＩＣカードの場合は、この保持が、非接触カード内部のカード記憶部に記憶されることで行われる。
【００２５】
また、外部情報とは、非接触ＩＣカードに限らず、カード内部のカード記憶部に記憶されておらず、カードの外部から得られる情報のことである。外部情報には、例えば、加速度、温湿度、紫外線照射量、環境放射線量、臭気等が挙げられる。
【００２６】
表示部４には、例えば電気泳動型ディスプレイやエレクトロクロミックディスプレイ、液晶ディスプレイ、有機ＥＬディスプレイ等を採用でき、文字や画像等の表示データが表示される。電気泳動型ディスプレイやエレクトロクロミックディスプレイは、電力の供給が絶えても表示状態が維持され、かつ薄く可撓性に優れるため好適である。たとえば白黒二粒子系の電気泳動型ディスプレイは、黒文字と白地の２色表示となるが、電力消費は表示書き換え時のみ行われ、書き換えられた表示画面は電力消費なしで保持できるため、電池の消耗を抑えることができ好適である。液晶ディスプレイや有機ＥＬディスプレイは、表示中は常に電力消費が生じるが、多色表示による多彩な情報表現が可能となる。
【００２７】
通信部１１は少なくとも非接触ＩＣカードと情報のやり取りを行う非接触ＩＣチップ８と非接触ＩＣカードと通信するためのアンテナ９を有している。非接触ＩＣチップ８には送信部と受信部があり、送信部ではアンテナ９を経由して非接触ＩＣカードに情報を送信し、受信部ではアンテナ９を経由して非接触ＩＣカードから情報を受信する。また、通信部１１には電源部１５が供給する電力を非接触で非接触ＩＣカードに供給する電力送信部１０を設けてもよい。
【００２８】
カードケース２に内蔵されているアンテナ９は、例えばループ状に巻かれたアンテナコイルが挙げられる。非接触ＩＣカードとカードケース２との情報のやり取りをスムーズに行うために、カードケース２に非接触ＩＣカードを収納した際にそれぞれのコイルの位置が重なるように形成するのが好ましい。
【００２９】
駆動部１２は表示部４を駆動するための駆動回路であって、少なくともドライバＩＣを含み、表示部４を駆動し非接触ＩＣカード内部のカード記憶部に記憶されている情報等を表示部に表示させるものである。制御部１４からの制御に基づいて、電圧を出力して表示部４に所望の情報を表示する。
【００３０】
検知部１３は外部情報を検知するセンサを含むものである。センサには例えば加速度センサを使用することで、カード利用者の活動量の測定をおこなうことができる。加速度センサは加速度に相当する検出値を出力信号として出力するもので、静電型、圧電型、抵抗型、導電型（電磁誘導型）、磁気型等の各種のセンサが挙げられるが、いずれも採用可能である。
【００３１】
制御部１４はＣＰＵ（Ｃｅｎｔｒａｌ  Ｐｒｏｃｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）等のメモリや外部入出力端子等を備えたＩＣチップを備えるものであって、駆動部１２を制御し、適切な信号を出力することにより表示部４に所定の画像等の情報を表示する。
【００３２】
制御部１４は表示部４に情報を表示する際には、駆動部１２を制御して必要な電圧を制御することによって表示部４を駆動し情報を表示する。また、制御部１４には所定の情報を保存するメモリがあり、表示部に表示する所定のデータなどが保管されている。
【００３３】
電源部１５は制御部１４を介して、駆動部１２、通信部１１、検知部１３、表示部４等、電力を必要とする各部に電力を供給する。電源部１５には電池、充電方式電池、太陽電池など適宜使用すればよい。小型かつ薄型であればよく、ボタン電池やシート電池が好ましい。充電方式であれば充電できるようにカードケース２に充電用端子を形成すればよい。
【００３４】
入力部５はカード利用者による操作が行われたとき、信号を制御部１４に出力する。制御部１４は入力部５から信号が入力されると、メモリに保存された情報（予め通信部１１や検知部１３で取得した情報）を取り出し、駆動部１２を制御して表示部４に情報を表示する。
【００３５】
次に、本発明に係るカードケース２に収納するカードについて説明する。図３は本発明に係るカードケース２に収納するカードの一実施形態の構成を示す。カードケースに収納するカードの種類としては、ＩＣカードの他に磁気ストライプカードやバーコードが記載されているカードなどが挙げられるが、これに限るものではない。その場合、通信部１１にはそれぞれのカードに適合した機能を設ける必要がある。ここでは収納するカードを非接触ＩＣカードとして説明する。
【００３６】
非接触ＩＣカード２３には、カード記憶部１６、カード制御部１７、カード受電部１８、カード受信部１９、カード送信部２０を内蔵したＩＣチップとカードアンテナ部２１を有し、少なくとも外部と通信するためのカード受電部１８、カード受信部１９、カード送信部２０、カードアンテナ部２１から構成されるカード通信部２２を有する。
【００３７】
カード記憶部１６は、カードケース２の制御部１４のＩＣチップと同様に、ＲＡＭやＲＯＭ、ＥＥＰＲＯＭといったメモリを有し、少なくとも表示部４に表示するために必要な所定の情報が記憶されている。
【００３８】
カード制御部１７は、カード記憶部１６に保管された情報をカード送信部２０から送信するためにカード送信部２０の制御を行う。
【００３９】
カード受電部１８は、カードケース２の電源部１５から電力送信部１０を経由して供給された電力を非接触で受電する。受電した電力はカード制御部１７などの電力が必要な各部に送られる。
【００４０】
カード受信部１９は、カードアンテナ部２１を経由して、カードケース２から情報を受信する。
【００４１】
カード送信部２０は、カードアンテナ部２１を経由して、非接触ＩＣカード２３からカード記憶部１６に記憶されている情報をカードケース２に送信する。
【００４２】
カードアンテナ部２１は、例えばループ状に巻かれたアンテナコイルが挙げられる。非接触ＩＣカード２３とカードケース２との情報のやり取りをスムーズに行うために、カードケース２に非接触ＩＣカード２３を収納した際にコイルの位置が重なるように形成されるのが好ましい。滞りなくデータのやり取りが行えるため、表示切替えもスムーズに行うことができる。
【００４３】
カード通信部２２のカード送信部２０、カード受信部１９、カードアンテナ部２１は、少なくとも表示部４に表示する情報を送受信できるような構成であればよく、カードケース２の構成部材と同様のものでよい。また、電力供給についてはアンテナコイルによる電
磁誘導式などを利用することもできる。
【００４４】
なお、カードケース２に収納するカードの構成要件としては、任意の情報を記録する機能と、前記情報をカードケース２と通信する機能を有していることが前提である。この構成要件を満たすものとしては、ＩＣカードの他に磁気ストライプカードやバーコードが記載されているカードなどが挙げられる。
【００４５】
次に、本発明に係るカードケースにカードを挿入し収納した際の動作について説明する。非接触ＩＣカード２３をカードケース２に挿入すると、カード制御部１７がカード記憶部１６に記憶されている情報を読み取り、カード送信部２０からカードアンテナ部２１を経由してカード記憶部１６に記憶されている情報を送信する。
【００４６】
通信部１１はアンテナ９を経由してカード記憶部１６に記憶されている情報を受信する。通信部１１は、受信した情報を制御部１４に送信することにより、制御部１４は、この情報を受け取り、制御部１４のＩＣチップのメモリに保管する。制御部１４は保管された情報の一部（例えば社員証の場合は会社名や顔写真、所属、名前等の公開情報）又は全部を取り出し、駆動部１２を制御し、駆動部１２が制御情報に基づいて、この情報の一部又は全部を表示部４に送信することにより、表示部４に、この情報の一部又は全部を表示する。
【００４７】
また、カードケース２の内部の検知部１３は、検知した信号を制御部１４に出力する。制御部１４は検知部１３から信号が入力されると、その信号情報とカード記憶部１６に記憶されている情報に含まれるカード利用者の登録情報（性別・年齢・身長・体重等）をもとに活動量情報（歩数、歩行距離、走行距離、消費カロリー量、目標活動量等）を演算し、その信号情報と活動量情報とを制御部１４のＩＣチップのメモリに保存する。制御部１４は、メモリに保存された情報を取り出し、文字やグラフ等に変換して、駆動部１２を駆動して表示部４に表示させることができる。
【００４８】
また、カードケース２の内部の入力部５は、カード利用者による操作が行われたとき、信号を制御部１４に出力する。制御部１４は入力部５から信号が入力されると、制御部１４のＩＣチップのメモリに保存された情報（予め通信部１１及び検知１３で取得した情報）を取り出し、駆動部１２を駆動して表示部４に表示させる。
表示部４に液晶ディスプレイや有機ＥＬディスプレイが使用されている場合は、表示内容が表示されている間は電源部１５から電力が供給され続ける。入力部５の操作によって、表示部４の表示をＯＦＦにすることも可能である。
一方、表示部４に電気泳動型ディスプレイやエレクトロクロミックディスプレイが使用されている場合は、表示内容の更新のときに電源部１５から電力が供給される。表示内容更新後は電力が消費されず、入力部５の操作が行われるまで、表示内容が維持される。
【００４９】
また、必要に応じて、制御部１４は通信部１１の非接触ＩＣチップ８の送信部からカード受信部１９に情報を送信し、カード受信部１９で受信した情報を用いてカード制御部１７はカード記憶部１６の情報の更新を行う。
【００５０】
次に本発明に係わるカードケースを用いたシステムに関して説明する。図４は本発明に係わるカードケースを用いたシステムの構成を示す図である。ここでは、非接触ＩＣカード２３をＩＤカード（ここでは社員証）に適用した場合の健康管理システムについて説明する。
【００５１】
カード利用者はまず自分の社員証ＩＤを含む非接触ＩＣカード２３を携帯用カードケース１のカードケース２に挿入し収納する。非接触ＩＣカード２３が挿入され収納されると
、カードケース２にカード記憶部１６に記憶されている情報が読み込まれ、制御部１４のＩＣチップのメモリに保存される。表示部４のディスプレイには、カード記憶部１６に記憶されている情報に含まれる社員番号、所属、名前、顔写真等の社員情報が表示される。カード利用者はカードケース２を、ストラップ６で首から提げる或いはクリップ７で胸ポケットに装着することが可能である。これにより、カードケース２は社員情報を表示する名札として機能する。図５（ａ）にこの場合の表示例を示す。
【００５２】
カードケース２に挿入し収納する非接触ＩＣカード２３は、食堂や飲食店のＰＯＳレジ２４に備えられたリーダライタにかざすことによって、ＰＯＳレジ２４は、カード利用者が購入した食事の摂取カロリー量情報や栄養素情報等の摂取食事情報を非接触ＩＣカード２３に送信し、カード記憶部１６に記録される。このとき、食事の代金を電子マネーカードとして決済をおこなっても良い。この後、前述と同様に非接触ＩＣカード２３をカードケース２に挿入し収納することで、通信部１１によりカード記憶部１６に記憶されている情報が読み込まれ、制御部１４のＩＣチップのメモリに保存される。この情報には、前述の摂取食事情報も含まれる。このとき入力部５の操作から表示内容の切り替えを行えば、直前の摂取カロリー量や栄養素情報等の摂取食事情報が表示部４に出力され、カード利用者はこれを確認することが可能である。図５（ｂ）にこの場合の表示例を示す。
【００５３】
カードケース２内部に備えられた検知部１３によってカード利用者の運動が検知され、制御部１４によって活動量情報（歩数、歩行距離、走行距離、消費カロリー量等）が演算され、活動量情報は制御部１４のＩＣチップのメモリに保存される。このとき入力部５の操作から表示内容の切り替えを行えば、カード利用者の活動量情報が表示部４に表示され、カード利用者はこれを確認することが可能である。図６（ｃ）（ｄ）にこの場合の表示例を示す。
【００５４】
また、制御部１４は、制御部１４のＩＣチップのメモリに保存された摂取食事情報と活動量情報をもとに、本日の残り目標消費カロリー量や残り目標歩数等の目標活動量が演算され、カードケース２内の制御部１４のＩＣチップのメモリに保存される。このとき入力部５の操作から表示内容の切り替えを行えば、カード利用者の目標活動量が表示部４に表示され、カード利用者はこれを確認することができる。
【００５５】
表示部４に表示される摂取食事情報や活動量情報は、文字や図やグラフによる表現も可能で、カード利用者にとって高い視認性を有している。
【００５６】
上述の実施例では、カードケース２内の制御部１４のＩＣチップのメモリに情報を保存する場合を例示したが、サーバーに保存させても良い。
【００５７】
また、非接触ＩＣカード２３による決済時に、カード利用者が購入した食事の摂取食事情報（摂取カロリー量情報や栄養素情報等）を記録し、非接触ＩＣカード２３をカードケース２に挿入し収納した際にカード利用者は摂取食事情報や演算した消費カロリー量等の活動量情報も確認することができるので、カードリーダ端末を使用することなく、カード利用者は健康維持するために必要な所定の情報を常に確認することができる。
【００５８】
さらには、企業が社員の健康管理を行う取り組みがある中で、いかに企業が社員の健康に関する情報を一元管理できるか、ということが課題として挙げられていた。ＩＣ決済が一般化される中で、ＩＣ決済時に企業の個人ＩＤが付与された社員証を利用することで、企業側は社員ひとりひとりの摂取食事情報や消費カロリー量等の活動量情報などの健康管理に役立つ情報を確認することが可能になり、社員はカードケースで、これらの情報を常に確認することができるので、企業が社員個人ベースでの健康を管理することが可能になる。また、社員証は常に身に付けるものであって、カードケースに表示部を搭載すればスマートフォン等の他の携帯端末がなくても所定の情報を確認することができる。
【００５９】
このように本発明に係わるカードケースによれば、従来のカードを収納する機能に加え、カードとの通信手段である通信部、外部情報の検知手段である検知部、そして表示手段である表示部を備えることで、任意の情報を保持し表示することができ、従来のカードを使用しながら利便性の高いシステムを提供することができる。上述の実施例では社員証を使用した健康管理システムについて例示したが、本発明のカードケースの使用用途はこれに限るものではない。
【符号の説明】
【００６０】
１・・・携帯用カードケース
２・・・カードケース
３・・・カード挿入部
４・・・表示部
５・・・入力部
６・・・ストラップ
７・・・クリップ
８・・・非接触ＩＣチップ
９・・・アンテナ
１０・・・電力送信部
１１・・・通信部（非接触ＩＣチップとアンテナと電力送信部）
１２・・・駆動部（ドライバ）
１３・・・検知部（センサ）
１４・・・制御部（ＣＰＵ）
１５・・・電源部（電池）
１６・・・カード記憶部
１７・・・カード制御部
１８・・・カード受電部
１９・・・カード受信部
２０・・・カード送信部
２１・・・カードアンテナ部
２２・・・カード通信部
２３・・・非接触ＩＣカード
２４・・・ＰＯＳレジ
【図１】
2016130946.tif 000003
【図２】
2016130946.tif 000004
【図３】
2016130946.tif 000005
【図４】
2016130946.tif 000006
【図５】
2016130946.tif 000007
【図６】
2016130946.tif 000008